(57)【要約】【課題】再利用が可能で経済性にすぐれる圧力調整弁、およびそれを備えたキャパシタを提供する。また、原則として再利用が可能で、圧力変動の態様によっては破壊されることで圧力を調整することもできる、経済性にすぐれ、かつ安全性も高い圧力調整弁、およびそれを備えたキャパシタを提供する。【解決手段】圧力調整に用いる弁孔２ａ内に嵌挿され、圧力の変動によって可変に圧力を調整できる圧力調整弁であって、前記弁孔２ａの表面に圧力によって弾力的、かつ可逆的に変形する笠部１１０を備えさせ、前記笠部１１０の下部中央に、前記笠部１１０と一体となり前記弁孔２ａ内に挿通される柱状部１２０を備え、前記柱状部１２０の端部で前記弁孔２ａの裏面に、抜け落ちを防ぐつば部１３０を備えると共に、前記柱状部１２０および前記つば部１３０に前記笠部１１０の内側１１１へ圧力を通じるための溝部Ｓを設けたことを特徴とする圧力調整弁。【選択図】        図１
2004190802.tif 000002
【特許請求の範囲】
【請求項１】
圧力調整に用いる弁孔内に嵌挿され、
圧力の変動によって可変に圧力を調整できる圧力調整弁であって、
前記弁孔の表面に圧力によって弾力的、かつ可逆的に変形する笠部を備えさせ、前記笠部の下部中央に、前記笠部と一体となり前記弁孔内に挿通される柱状部を備え、
前記柱状部の端部で前記弁孔の裏面に、抜け落ちを防ぐつば部を備えると共に、前記柱状部および前記つば部に前記笠部の内側へ圧力を通じるための溝部を設けたことを特徴とする圧力調整弁。
【請求項２】
前記笠部の外側中央に前記つば部方向に向かって、取り付け時に力を加えるための押圧用の凹陥部を設けることを特徴とする請求項１記載の圧力調整弁。
【請求項３】
前記つば部から前記笠部の上方に向けて、最上位に肉厚部を薄肉とした防爆弁部を設けた有底穴を穿ち、有底穴よりの圧力変動により前記防爆弁部を破壊できるようにして成ることを特徴とする請求項１または２記載の圧力調整弁。
【請求項４】
前記笠部は、前記弁孔の外周との取り付け位置を合わせるための突起を周囲に備えることを特徴とする請求項１ないし３のいずれか記載の圧力調整弁。
【請求項５】
請求項１ないし４のいずれか記載の圧力調整弁を備えたことを特徴とするキャパシタ。
【発明の詳細な説明】
【０００１】
【発明の属する技術分野】
本発明は、圧力調整を行うことができる圧力調整弁、およびそれを備えたキャパシタに関するものである。
【０００２】
【従来の技術】
従来より、大容量コンデンサ（キャパシタ）等に、ゴム製の防爆弁を用いて爆発を防ぐ技術が知られている（例えば、特許文献１参照）。
【０００３】
図６を用いて、この技術について説明する。
【０００４】
図６は、従来の防爆弁を示す概略断面図である。
【０００５】
１は防爆弁、２は、電気二重層キャパシタの上蓋、２ａは、圧力調整に用いる弁孔、１１は柱状部分、１２は第１フランジ部、１３は第２フランジ部、１４は末端が閉塞された穴、１５は弁部である。
【０００６】
キャパシタ内部の圧力が一定以上に高まると、弁部１５が破れて圧力を逃がし、キャパシタの爆発を防ぐことができる。
【０００７】
【特許文献１】
特開平８−２１６０３９号公報
【０００８】
【発明が解決しようとする課題】
しかしながら、この防爆弁は、一度作動すると弁部１５が破壊されてしまうので、再利用することができず、経済性にすぐれなかった。
【０００９】
本発明は、以上のような問題点に鑑みて為されたものであり、その目的とする処は、再利用が可能で経済性にすぐれる圧力調整弁、およびそれを備えたキャパシタを提供することにあり、それに加えて、原則として再利用が可能で、圧力変動の態様によっては破壊されることで圧力を調整することもできる、経済性にすぐれ、かつ安全性も高い圧力調整弁、およびそれを備えたキャパシタを提供することをも目的とする。
【００１０】
【課題を解決するための手段】
本発明は、下記の技術的構成により、前記課題を達成できたものである。
【００１１】
（１）圧力調整に用いる弁孔内に嵌挿され、圧力の変動によって可変に圧力を調整できる圧力調整弁であって、前記弁孔の表面に圧力によって弾力的、かつ可逆的に変形する笠部を備えさせ、前記笠部の下部中央に、前記笠部と一体となり前記弁孔内に挿通される柱状部を備え、前記柱状部の端部で前記弁孔の裏面に、抜け落ちを防ぐつば部を備えると共に、前記柱状部および前記つば部に前記笠部の内側へ圧力を通じるための溝部を設けたことを特徴とする圧力調整弁。
【００１２】
（２）前記笠部の外側中央に前記つば部方向に向かって、取り付け時に力を加えるための押圧用の凹陥部を設けることを特徴とする前記（１）項記載の圧力調整弁。
【００１３】
（３）前記つば部から前記笠部の上方に向けて、最上位に肉厚部を薄肉とした防爆弁部を設けた有底穴を穿ち、有底穴よりの圧力変動により前記防爆弁部を破壊できるようにして成ることを特徴とする前記（１）項または（２）項記載の圧力調整弁。
【００１４】
（４）前記笠部は、前記弁孔の外周との取り付け位置を合わせるための突起を周囲に備えることを特徴とする前記（１）ないし（３）項のいずれか記載の圧力調整弁。
【００１５】
（５）前記（１）項ないし（４）項のいずれか記載の圧力調整弁を備えたことを特徴とするキャパシタ。
【００１６】
【発明の実施の形態】
以下、本発明の実施の形態を複数の実施例に基づき詳しく説明する。
【００１７】
（実施例１）
まず、図１〜図３を用いて本発明の実施例１を説明する。
【００１８】
図１は、本発明の実施例１に係る圧力調整弁の概略構成図であって、（ａ）は圧力調整弁のみを断面で示す概略断面図、（ｂ）は平面図、（ｃ）は図１（ａ）のＸ−Ｘ線断面図で、圧力調整弁の柱状部のみを断面で示し、且つつば部を破線で示した図である。
【００１９】
図２は、本発明の実施例１に係る圧力調整弁の圧力調整作動時の概略断面図であって、圧力調整弁のみを断面で示す図である。
【００２０】
図３は、本発明の実施例１に係る圧力調整弁を備えたキャパシタの概略構成図である。
【００２１】
２は、容器の上蓋、２ｂは、キャパシタ２０の電極、２ｃは弁取り付け位置、２ｄは、笠部１１０が開くように圧力がかかる方向を調節する調節突起、２ｅは、笠部１１０の位置を合わせるための溝、２０はキャパシタ、１０１は、ゴム等の弾性体からなる圧力調整弁、１１０は、弁孔２ａの表面に位置し、圧力によって弾力的、かつ可逆的に開閉する笠部、１１１は、笠部１１０の内側、１１２は、笠部１１０の周囲に設けられた、取り付け位置合わせ、めくれ防止のための突起、１２０は、笠部１１０の下部中央に位置し、笠部１１０と一体となり弁孔２ａ内に挿通される柱状部、１２１は、柱状部１２０の側面に設けた縦溝、１３０は、柱状部１２０の端部で弁孔２ａの裏面に位置し、抜け落ちを防ぐつば部、１３１は、つば部１３０の上面に設けた横溝である。
【００２２】
縦溝１２１と横溝１３１とは連通し、笠部１１０の内側へ圧力を通じるための溝部Ｓを形成する。
【００２３】
図１（ａ）に示すように、本実施例にかかる圧力調整弁１０１は、可逆的に開閉する笠部１１０、柱状部１２０、円錐台状等のつば部１３０を有し、圧力調整に用いる弁孔２ａにつば部１３０を押し込んで嵌挿させることにより、圧力を調整する働きをするものである。
【００２４】
また、図１（ｂ）に示すように、笠部１１０の周囲には複数の突起１１２が設けられ、圧力調整弁１０１が弁取り付け位置２ｃの中央で弁孔２ａの外周と位置を合わせた状態を保つように構成されている。
【００２５】
そして、図１（ｃ）に示すように、柱状部１２０の側面には縦溝１２１が設けられ、つば部１３０の上面には横溝１３１が設けられ、容器内にガスが発生して圧力が高まると、そのガスが横溝１３１、縦溝１２１を介して笠部の内側１１１に通じられる構成となっている。
【００２６】
なお、ガスの流路である溝部Ｓは、細く、長く形成することにより、容器内に液体（容器がキャパシタである場合には電解液等）がある場合にもその上昇を低減でき、目詰まりやシール部のシール不良を防止できる。
【００２７】
そして、横溝１３１と縦溝１２１とを介して笠部１１０の内側へ圧力が通じられ、その圧力が、笠部１１０が開く一定の圧力（笠部１１０が作動する圧力）を超えると、図２に示すように、笠部１１０が開くように変形して外気と連通し、圧力を調整する。
【００２８】
圧力の調整が終わると、圧力調整弁１０１の弾性によって笠部１１０が元通りに閉じるように変形し、図１（ａ）のように、再び弁孔２ａを塞ぐことができる。
【００２９】
このように、本実施例の圧力調整弁１０１を用いれば、圧力が高まると、それに合わせて調整を行うことができるので、圧力の高まりによる容器の爆発を防ぎ、圧力を適正に保つことができる。
【００３０】
また、防爆弁と異なり、一度圧力を調整しても圧力調整弁１０１は破壊されないので、引き続き再利用ができ、経済的にも有利である。
【００３１】
なお、本実施例では突起１１２、溝１２１、溝１３１はそれぞれ４つ設けているが、本発明はこれのみに限らず必要に応じていくつでもよい。ただし、左右対称に４つ、８つ等の数設ければ、製造上の都合がよい。
【００３２】
図３に、本実施例の圧力調整弁１０１をキャパシタ２０に用いて密閉した状態を示す。
【００３３】
キャパシタ２０の上蓋２に設けられた圧力調整に用いる弁孔２ａに、本実施例の圧力調整弁１０１のつば部１３０を押し込むことで嵌挿させ、キャパシタ２０内の圧力を調整させることができる。
【００３４】
これによって、再利用が可能である圧力調整弁を備えたキャパシタを提供することができる。
【００３５】
（実施例２）
次に、図４を用いて実施例２を説明する。
【００３６】
図４は、本発明の実施例２係る圧力調整弁の概略構成図であって、（ａ）は圧力調整弁のみを断面で示す概略断面図、（ｂ）は平面図である。
【００３７】
実施例２の構成は、押圧用の凹陥部が設けられていることを除いて実施例１と同一であるので、同一の構成には同一の符号を付し、詳細な説明を省略する。
【００３８】
１０１Ａは、実施例２の圧力調整弁、１１３は、押圧用の凹陥部である。
【００３９】
図４（ａ）、図４（ｂ）に示すように、圧力調整弁１０１Ａには、笠部１１０の外側中央につば部１３０方向に向かって、取り付け時に力を加えるための、押圧用の凹陥部１１３が設けられている。
【００４０】
これによって、圧力調整弁１０１Ａの取り付けにおいて、つば部１３０を上蓋２の弁孔２ａに押し込む際に、凹陥部１１３に棒状の道具を挿し込んで押圧することができるので、力をつば部１３０の先に集中することができ、取り付けを容易に行うことができる。
【００４１】
また、本実施例の圧力調整弁１０１Ａをキャパシタに用いれば、取り付けが容易で、かつ再利用が可能である圧力調整弁を備えたキャパシタを提供することができる。
【００４２】
（実施例３）
次に、図５を用いて実施例３を説明する。
【００４３】
図５は、本発明の実施例３に係る圧力調整弁の概略構成図であって、（ａ）は圧力調整弁のみを断面で示す概略断面図、（ｂ）は防爆弁による圧力調整作動時の概略断面図であって、圧力調整弁のみを断面で示す図である。
【００４４】
実施例３の構成は、防爆弁部、および有底穴が設けられていることを除いて実施例２と同一であるので、同一の構成には同一の符号を付し、詳細な説明を省略する。
【００４５】
１０１Ｂは、実施例３に示す圧力調整弁、１２３は防爆弁部、１３３は、有底穴である。
【００４６】
図５（ａ）に示すように、実施例３に示す圧力調整弁１０１Ｂは、つば部１３０の中央から笠部１１０の上方に向けて有底穴１３３を穿ち、その最上位に肉厚部を薄肉とした防爆弁部１２３を備えている。
【００４７】
すなわち、本実施例の圧力調整弁１０１Ｂは、圧力調整のために、笠部１１０と防爆弁部１２３との２つの構成を備えている。
【００４８】
これによって、ゆるやかな圧力変動、例えば容器内の圧力が少しずつ高まるような場合には、笠部１１０が開閉するように変形して圧力を調整することで、圧力調整弁１０１Ｂを破壊せずに済む。
【００４９】
そして、急激な圧力変動、例えば圧力が突然高まるような場合には、図５（ｂ）に示すように、防爆弁１２３が破壊されることにより圧力を調整し、容器の爆発を防ぐことができる。
【００５０】
なお、このように圧力変動の態様に応じて圧力を調整することは、防爆弁１２３の作動する圧力に対して、笠部１１０の作動する圧力を、より低くなるように構成することで可能となる。
【００５１】
すなわち、このようにすることで、徐々に圧力が高まってきたときは、先に笠部１１０が作動し、防爆弁部１２３を破壊することなく圧力を調整し、急激に圧力が高まってきたときは、笠部１１０では調整しきれずに、防爆弁部１２３が作動して（破壊されて）圧力を調整する。
【００５２】
このように、本実施例によれば、笠部１１０と共に防爆弁部１２３を設けることで、原則として再利用が可能で、圧力変動の態様に応じて圧力を調整することができ、経済性にすぐれ、かつ安全性の高い圧力調整弁１０１Ｂを提供することができる。
【００５３】
また、実施例２で説明したように、押圧用の凹陥部１１３を設けることで、取り付けを容易に行うことができる。ただし、本実施例では、凹陥部１１３の中央に防爆弁１２３があるので、棒状の道具ではなく筒状の道具を凹陥部１１３に挿し込むことにより、取り付けを容易に行うことが可能になる。
【００５４】
また、本実施例の圧力調整弁１０１Ｂをキャパシタに用いれば、取り付けが容易で経済性にすぐれ、かつ安全性の高い圧力調整弁を備えたキャパシタを提供することができる。
【００５５】
【発明の効果】
以上説明したように、本発明によれば、再利用が可能で経済性にすぐれる圧力調整弁、およびそれを備えたキャパシタを提供することができる。
【００５６】
さらに、押圧用の凹陥部を設けることで、取り付けを容易に行うことができる。
【００５７】
また、笠部と共に防爆弁部を設けることで、原則として再利用が可能で、圧力変動の態様によっては破壊されることで圧力を調整することもできる、経済性にすぐれ、かつ安全性も高い圧力調整弁、およびそれを備えたキャパシタを提供することもできる。
【図面の簡単な説明】
【図１】本発明の実施例１に係る圧力調整弁の概略構成図であって、（ａ）は圧力調整弁のみを断面で示す概略断面図、（ｂ）は平面図、（ｃ）は図１（ａ）のＸ−Ｘ線断面図で、圧力調整弁の柱状部のみを断面で示し、且つつば部を破線で示した図である。
【図２】本発明の実施例１に係る圧力調整弁の圧力調整作動時の概略断面図であって、圧力調整弁のみを断面で示す図である。
【図３】本発明の実施例１に係る圧力調整弁を備えたキャパシタの概略構成図である。
【図４】本発明の実施例２に係る圧力調整弁の概略構成図であって、（ａ）は圧力調整弁のみを断面で示す概略断面図、（ｂ）は平面図である。
【図５】本発明の実施例３に係る圧力調整弁の概略構成図であって、（ａ）は圧力調整弁のみを断面で示す概略断面図、（ｂ）は防爆弁による圧力調整作動時の概略断面図であって、圧力調整弁のみを断面で示す図である。
【図６】従来の防爆弁を示す概略断面図である。
【符号の説明】
２  上蓋
２ａ  弁孔
２０  キャパシタ
１０１  圧力調整弁
１１０  笠部
１１２  突起
１１３  凹陥部
１２０  柱状部
１２１  縦溝
１２３  防爆弁部
１３０  つば部
１３１  横溝
１３３  有底穴
Ｓ  溝部
【図１】
2004190802.tif 000003
【図２】
2004190802.tif 000004
【図３】
2004190802.tif 000005
【図４】
2004190802.tif 000006
【図５】
2004190802.tif 000007
【図６】
2004190802.tif 000008